(57)【要約】【課題】  機体から車輪や種子繰出部等の機能要素部を簡単に着脱することができるようにする。【解決手段】  本発明を具体化した農作業機としての播種機１は、機能要素部としての駆動輪２、種子繰出部５、溝掘覆土部７、及び鎮圧輪３が略機体進行方向に列設されており、該各機能要素部は、機体進行方向に対する左側から機体４に片持ち支持されている。そして、前記各機能要素部としての駆動輪２、種子繰出部５、溝掘覆土部７、及び鎮圧輪３は、右側へ着脱可能に機体４に支持されている。【選択図】      図１
2005318870.tif 000002
【特許請求の範囲】
【請求項１】
略一方向に列設された複数の機能要素部と、該各機能要素部を前記一方向に対する左右いずれか一側方側から片持ち支持する機体とを備え、
前記各機能要素部は、前記一側方側の反対側へ着脱可能に前記機体に支持された農作業機。
【発明の詳細な説明】
【技術分野】
【０００１】
本発明は、農作業機に関するものである。
【背景技術】
【０００２】
従来の農作業機として、特許文献１に記載された播種機８１を例示する。この播種機８１は、図８に示すように、左右一対の側フレーム８４ａ，８４ａと、該両側フレーム８４ａ，８４ａを連結する横フレーム８４ｂとを備えた機体８４を備えている。両側フレーム８４ａ，８４ａは前後方向に延設されており、該両側フレーム８４ａ，８４ａの間には、接地輪８２、播種装置８５、作溝器（図示略）、覆土板１００、鎮圧輪８３等の機能要素部がそれぞれ支持されている。
【０００３】
【特許文献１】特開平９−１０７７３１号公報
【発明の開示】
【発明が解決しようとする課題】
【０００４】
ところが、前記各機能要素部が両側フレーム８４ａ，８４ａの間に配置されているため、該各機能要素部を交換したり、該各機能要素部における消耗品を交換したりするときに、各機能要素部の着脱が行い難いという課題がある。特に、接地輪８２、播種装置８５の繰出ロール（図示略）、鎮圧輪８３等のように左右に延びる軸を中心に回転する機能要素部は軸の両端側が両側フレーム８４ａ，８４ａにそれぞれ支持されており、さらに、該軸にはそれを回転駆動するための駆動要素（エンジン、モータ、スプロケット、ギヤー等）が設けられていることもあるため、着脱が行い難くなっている。
【課題を解決するための手段】
【０００５】
上記課題を解決するために、本発明の農作業機は、
略一方向に列設された複数の機能要素部と、該各機能要素部を前記一方向に対する左右いずれか一側方側から片持ち支持する機体とを備え、
前記各機能要素部は、前記一側方側の反対側へ着脱可能に前記機体に支持されている。
【０００６】
前記機能要素部とは、特に限定されないが、車輪（接地輪や鎮圧輪を含む）、農作業装置（例えば、播種装置、施肥装置、施薬装置、溝堀装置、覆土装置、耕耘装置、移植装置等の装置やこれらの部品）、ホッパー、駆動機構（原動機（エンジン、モータ等）、動力伝動機構等）等を例示する。
【０００７】
この構成によれば、前記各機能要素部は、前記機体に前記一側方側から片持ち支持されているので、該一側方の反対側を広く解放しておくことができる。このため、該反対側へ簡単に着脱することができる。また、この構成は、構造がシンプルなので、低コストに実現することができる。
【発明の効果】
【０００８】
本発明に係る農作業機によれば、機体から車輪や種子繰出部等の機能要素部を簡単に着脱することができるという優れた効果を奏する。
【発明を実施するための最良の形態】
【０００９】
図１〜図６は本発明を具体化した第一実施形態の農作業機としての播種機を示している。この播種機１は、図１〜図３に示すように、前後の車輪としての駆動輪２及び鎮圧輪３に走行自在に支持された機体４と、粒状体としての種子を繰り出す種子繰出部５と、駆動輪２の回転を種子繰出部５に伝動する伝動機構６と、圃場Ｈに種子を埋めるための溝を形成するとともに播種後の溝に土を寄せて覆土する溝掘覆土部７と、機体４を操縦するためのハンドル８とを備え、機体４の進行に伴って種子を播くように構成されている。そして、この播種機１は、機能要素部としての駆動輪２、種子繰出部５、溝掘覆土部７、及び鎮圧輪３が略機体進行方向に列設されており、該各機能要素部は、機体進行方向に対する左側から機体４に片持ち支持されている。なお、各図において矢印Ｆは機体前側を指し示している。
【００１０】
機体４は、平面視で前後方向に略直線状に延びるように形成されており、その中央部が後ろ斜め上方に向けて折曲形成されている。
【００１１】
機体４の前側部には、左右に延びる駆動輪軸１１が回転自在に支持されており、該駆動輪軸１１の右側部には駆動輪２が該駆動輪軸１１に対して相対回転不可能かつ右方向へ着脱可能に固定手段としてのナット１２で取り付けられている。また、機体４における駆動輪軸１１の前側には、スタンド１３が設けられている。このスタンド１３は、左右に延びる軸により、図５に実線で示す退避位置Ｐ１１と、同図に二点鎖線で示す機体支持位置Ｐ１２との間で回動自在に機体４に支持されている。退避位置Ｐ１１では図５に示すように、折り畳んだ状態のハンドル８を支持したり、機体運搬用の取っ手にしたりして使用可能になっている。
【００１２】
機体４の中央部には、種子繰出部５を駆動するための左右に延びる種子繰出部駆動軸１５が回転自在に支持されているとともに、種子繰出部５における種子繰出部駆動軸１５の略上方を支持するための種子繰出部支持部１６が設けられている。種子繰出部駆動軸１５には、その左端側に伝動機構６（例えばチェーン伝動機構）により駆動輪軸１１の回転が伝動されるようになっている。種子繰出部駆動軸１５の右側部は、種子繰出部５に内蔵された入力軸１７に相対回転不可能かつ着脱可能に挿入され、ピン１８，１９で固定されるようになっている。種子繰出部支持部１６には、左右に向いた貫通穴（図示略）が設けられており、該貫通穴には、種子繰出部５に左方向へ突設された突部２０が嵌入され、ピン２２で固定されるようになっている。また、機体４の中央部における種子繰出部駆動軸１５の前側には、溝掘覆土部７を支持する溝掘覆土部支持部２５が設けられている。溝掘覆土部支持部２５は、溝掘覆土部７に突設された上方に延びる取付ポール４３が嵌入される支持穴２６と、該支持穴２６に挿入された取付ポール４３を上下位置調節可能に固定する位置固定ネジ２７とを備えている。位置固定ネジ２７は、溝掘覆土部７における機体４の反対側である右側から操作可能になっている。
【００１３】
機体４の後側部には、鎮圧輪３を支持するための後ろ斜め下方に延びる脚部３０が設けられている。脚部３０の先端には、右側へ延びる鎮圧輪軸３１が取り付けられており、該鎮圧輪軸３１の右側部には、回転自在の鎮圧輪３と、該鎮圧輪３を挟持するように形成された略Ｕ字状のスクレーパ３２とが、右方向へ着脱自在に固定手段としてのナット３３で取り付けられている。また、機体４における脚部３０の後方には、折り畳み式のハンドル８が設けられている。
【００１４】
駆動輪２及び鎮圧輪３は、それぞれの外周に吸水スポンジ２ａ，３ａが着脱可能に装着されている。駆動輪２は、機体４に左側から片持ち支持されているだけなので、機体４から取り外さなくても吸水スポンジ２ａを交換することができるようになっている。また、鎮圧輪３については、ナット３３及びスクレーパ３２の右端側を鎮圧輪軸３１から外すだけで、吸水スポンジ３ａを交換することができるようになっている。
【００１５】
ハンドル８は、図４に示すように、左右に延びる上部ハンドル３５と、前後に延びるハンドルアーム３６とからなっている。ハンドルアーム３６は、機体４の後端部に対して、退避位置Ｐ１１のスタンド１３に支持される折り畳み位置Ｐ２１と、機体後ろ斜め上方に延びた後傾位置Ｐ２２との間で前後に屈曲可能に構成されるとともに、略直立位置から後傾位置Ｐ２２までの間において固定具３７により適宜位置固定できるように構成されている。ハンドルアーム３６の先端には、左右へ回動可能にＵ字状のホルダ部材３８が取り付けられている。ホルダ部材３８には上部ハンドル３５がスライド自在に挿通されるようになっており、該上部ハンドル３５は、ホルダ部材３８に螺着された締付ボルト３９により、該上部ハンドル３５の側面がハンドルアーム３６に締め付け固定されるようになっている。このとき、図４（ａ）に示すように、上部ハンドル３５の側面をハンドルアーム３６の先端面に当接させた状態で固定すると、上部ハンドル３５が左右方向に延びる状態になり、ハンドル８として使用可能な状態になる。この上部ハンドル３５は、ハンドルアーム３６に対する取付位置を左右に調節可能になっている。従って、例えば畦上へ播種する場合、作業者は、機体中心を離れて谷間を歩くため、その谷間側へ上部ハンドル３５が突出するように取付位置を適宜調節することができる（従来は、通常のハンドルに代えて、別注の偏心ハンドルを機体４に取り付けていた）。また、図４（ｂ）に示すように締付ボルト３９を緩めてホルダ部材３８とともに上部ハンドル３５を回動させることにより、図４（ｃ）に示すように上部ハンドル３５の側面をハンドルアーム３６の側面に当接させた状態にし、締付ボルト３９で固定すると、上部ハンドル３５とハンドルアーム３６とが平行になってコンパクトな状態になる。そして、図５に示すように、この状態のハンドル８を折り畳み位置Ｐ２１に回動させると収納状態になり、収納スペースが少なくて済むようになっている。
【００１６】
溝掘覆土部７は、図６に示すように、舟型に形成された溝掘器４１と、該溝掘器４１の後側に取り付けられた土寄せ板４２と、溝掘器４１の前側上端部に立設され、機体４に相対上下位置調節可能に取り付けられた取付ポール４３とを備えている。この溝掘器４１は、その底部に正面視略Ｖ形の溝形成具４４が着脱自在に装着されており、所望の溝形に応じて別形状の溝形成具４４に交換することができるようになっている。従って、溝形に応じて溝掘器４１全体を取り替える必要がない。
【００１７】
以上のように構成された本例の播種機１によれば、機能要素部としての駆動輪２、種子繰出部５、溝掘覆土部７、及び鎮圧輪３が略機体進行方向に列設されており、該各機能要素部は、機体進行方向に対する左側から機体４に片持ち支持されているので、右側を広く解放しておくことができる。そして、図３に二点鎖線で示すように、前記各機能要素部は、この広く解放された、右側へ着脱可能に機体４に支持されているので、右側へ簡単に着脱することができる。また、本発明の播種機１は構造がシンプルなので、低コストに実現することができる。
【００１８】
次に、図７は本発明を具体化した第二実施形態の農作業機としての播種機５０を示している。この播種機５０は、以下に示す点において、主に第一実施形態と相違している。従って、同実施形態と共通する部分については、同一符号を付することにより重複説明を省く。
【００１９】
本例の機体５１は、前側部から中央部までが、左側から機能要素部としての駆動輪２、種子繰出部５、及び溝掘覆土部７を片持ち支持し、後側部が、右側から機能要素部としての鎮圧輪３を片持ち支持するように構成されている。本例の播種機５０によっても、第一実施形態と同様の効果を得ることができる。
【００２０】
なお、本発明は前記実施形態に限定されるものではなく、例えば以下のように、発明の趣旨から逸脱しない範囲で適宜変更して具体化することもできる。
（１）播種装置の後方に施肥装置や施薬装置を設けること。
（２）駆動輪２や鎮圧輪３を原動機により駆動するように構成すること。
（３）機体４に対する各機能要素部の取付構造を適宜変更すること。
（４）本発明を耕耘装置や移植装置等を備えた他の農作業機に対して実施すること。
【図面の簡単な説明】
【００２１】
【図１】本発明を具体化した第一実施形態に係る農作業機の左側面図である。
【図２】同農作業機の右側面図である。
【図３】同農作業機の平面図である。
【図４】同農作業機のハンドルの収納手順を示す平面図である。
【図５】同農作業機のハンドルを収納した状態を示す側面図である。
【図６】同農作業機の溝掘器を示す図であり、（ａ）は側断面図、（ｂ）は（ａ）のｂ−ｂ線断面図である。
【図７】本発明を具体化した第一実施形態に係る農作業機の平面図である。
【図８】従来の播種機を示す平面図である。
【符号の説明】
【００２２】
１    播種機
２    駆動輪
２ａ  吸水スポンジ
３    鎮圧輪
３ａ  吸水スポンジ
４    機体
５    種子繰出部
６    伝動機構
７    溝掘覆土部
８    ハンドル
５０    播種機
５１    機体
【図１】
2005318870.tif 000003
【図２】
2005318870.tif 000004
【図３】
2005318870.tif 000005
【図４】
2005318870.tif 000006
【図５】
2005318870.tif 000007
【図６】
2005318870.tif 000008
【図７】
2005318870.tif 000009
【図８】
2005318870.tif 000010